(57)【要約】【課題】複数の配線が試験槽の内部から外部に延在して設けられる場合において、各配線が他の配線からの電気的なノイズの影響を受ける問題を抑制する。【解決手段】栓体１０は、環境試験装置の試験槽に形成された貫通孔に嵌め込まれるものであって、配線がそれぞれ挿入可能な３つの切り込み１３ａ〜１３ｃが形成されている。各切り込み１３ａ〜１３ｃは、配線の挿入方向の下流側に向かうにつれて隣接する他の切り込みから離隔するように形成されている。【選択図】図３
2016223786.tif 000002
【特許請求の範囲】
【請求項１】
環境試験装置に用いられる栓体において、
前記環境試験装置は、内部に被試験物が配置される試験槽であって、前記試験槽の内部と外部とを連通させる貫通孔が形成された試験槽を有し、前記試験槽の内部の環境を変化させて、前記被試験物の環境試験を行うように構成されており、
前記栓体は、
前記貫通孔に嵌め込まれる、弾性部材から構成されたものであって、
前記試験槽の内部から外部に延在する複数の配線がそれぞれ挿入可能な複数の切り込みが、それぞれ、前記配線の挿入方向の下流側に向かうにつれて隣接する他の切り込みから離隔するように形成されていることを特徴とする、栓体。
【請求項２】
前記複数の切り込みのうち少なくとも１つの切り込みに、導電性シートが設けられていることを特徴とする、請求項１に記載の栓体。
【請求項３】
前記複数の切り込みは、前記導電性シートが設けられた第１切り込みと、前記第１切り込みを挟んで対向する第２切り込み及び第３切り込みとを含むことを特徴とする、請求項２に記載の栓体。
【請求項４】
前記試験槽の内部から外部に向かう方向と直交する断面において、
前記第１切り込みは、前記栓体の中心線に沿って形成されており、
前記第２切り込み及び前記第３切り込みは、前記中心線に対して対称の位置関係にあることを特徴とする、請求項３に記載の栓体。
【請求項５】
低発泡率のシリコンゴム、又は、ソリッドのシリコンゴムからなることを特徴とする、請求項１〜４のいずれか１項に記載の栓体。
【請求項６】
内部に被試験物が配置される試験槽であって、前記試験槽の内部と外部とを連通させる貫通孔が形成された試験槽と、
前記貫通孔に嵌め込まれた請求項１〜５のいずれか１項に記載の栓体と、を備え、
前記試験槽の内部の環境を変化させて、前記被試験物の環境試験を行うように構成されたことを特徴とする、環境試験装置。
【発明の詳細な説明】
【技術分野】
【０００１】
本発明は、被試験物の環境試験を行う環境試験装置に用いられる栓体、及び、これを用いた環境試験装置に関する。
【背景技術】
【０００２】
環境試験装置として、特許文献１に示されているように、内部に被試験物が配置される試験槽を有し、試験槽の内部の環境を変化させて、被試験物の環境試験を行うように構成された装置が知られている。また、特許文献１の環境試験装置においては、試験槽に貫通孔が形成されており、栓体が貫通孔に嵌め込まれる。栓体には、試験槽の内部から外部に延在する配線が挿入可能な１つの切り込みが形成されている。
【先行技術文献】
【特許文献】
【０００３】
【特許文献１】特開２０１５−６４２２３号公報
【発明の概要】
【発明が解決しようとする課題】
【０００４】
複数の配線が試験槽の内部から外部に延在して設けられる場合に、特許文献１のように１つの切り込みが形成された栓体において、当該１つの切り込みに複数の配線を挿入すると、各配線が他の配線からの電気的なノイズの影響を受けるという問題が生じ得る。
【０００５】
本発明の目的は、複数の配線が試験槽の内部から外部に延在して設けられる場合において、各配線が他の配線からの電気的なノイズの影響を受ける問題を抑制することができる、環境試験装置に用いられる栓体、及び、これを用いた環境試験装置を提供することである。
【課題を解決するための手段】
【０００６】
本発明の第１観点によると、環境試験装置に用いられる栓体において、前記環境試験装置は、内部に被試験物が配置される試験槽であって、前記試験槽の内部と外部とを連通させる貫通孔が形成された試験槽を有し、前記試験槽の内部の環境を変化させて、前記被試験物の環境試験を行うように構成されており、前記栓体は、前記貫通孔に嵌め込まれる、弾性部材から構成されたものであって、前記試験槽の内部から外部に延在する複数の配線がそれぞれ挿入可能な複数の切り込みが、それぞれ、前記配線の挿入方向の下流側に向かうにつれて隣接する他の切り込みから離隔するように形成されていることを特徴とする、栓体が提供される。
【０００７】
本発明の第２観点によると、内部に被試験物が配置される試験槽であって、前記試験槽の内部と外部とを連通させる貫通孔が形成された試験槽と、前記貫通孔に嵌め込まれた第１観点に係る栓体と、を備え、前記試験槽の内部の環境を変化させて、前記被試験物の環境試験を行うように構成されたことを特徴とする、環境試験装置が提供される。
【０００８】
上記第１及び第２観点によれば、栓体に形成された複数の切り込みに配線を挿入することで、複数の配線を分離して栓体に保持させることができる。また、複数の切り込みが、それぞれ、配線の挿入方向の下流側に向かうにつれて隣接する他の切り込みから離隔するように形成されているため、各配線は、切り込みに深く挿入されるにつれて、隣接する他の配線から離隔することになる。これにより、各配線が他の配線からの電気的なノイズの影響を受ける問題を抑制することができる。
【０００９】
第１観点に係る栓体において、前記複数の切り込みのうち少なくとも１つの切り込みに、導電性シートが設けられてよい。
【００１０】
上記構成によれば、導電性シートが設けられた切り込みに挿入される配線からの、及び、当該配線への、ノイズの伝搬を抑制することができる。
【００１１】
第１観点に係る栓体において、前記複数の切り込みは、前記導電性シートが設けられた第１切り込みと、前記第１切り込みを挟んで対向する第２切り込み及び第３切り込みとを含んでよい。
【００１２】
上記構成によれば、第２切り込み及び第３切り込みに挿入された配線同士のノイズの伝搬を抑制することができる。
【００１３】
第１観点に係る栓体は、前記試験槽の内部から外部に向かう方向と直交する断面において、前記第１切り込みは、前記栓体の中心線に沿って形成されており、前記第２切り込み及び前記第３切り込みは、前記中心線に対して対称の位置関係にあってよい。
【００１４】
上記構成によれば、第１〜第３切り込みに配線をバランスよく保持させることができ、ひいては各配線におけるノイズの問題をより確実に抑制することができる。
【００１５】
第１観点に係る栓体は、低発泡率のシリコンゴム、又は、ソリッドのシリコンゴムからなってよい。
【発明の効果】
【００１６】
本発明によれば、栓体に形成された複数の切り込みに配線を挿入することで、複数の配線を分離して栓体に保持させることができる。また、複数の切り込みが、それぞれ、配線の挿入方向の下流側に向かうにつれて隣接する他の切り込みから離隔するように形成されているため、各配線は、切り込みに深く挿入されるにつれて、隣接する他の配線から離隔することになる。これにより、各配線が他の配線からの電気的なノイズの影響を受ける問題を抑制することができる。
【図面の簡単な説明】
【００１７】
【図１】（ａ）は、本発明の一実施形態に係る環境試験装置において、扉が閉鎖された状態を示す斜視図である。（ｂ）は、本発明の一実施形態に係る環境試験装置において、扉が開放された状態を示す斜視図である。
【図２】本発明の一実施形態に係る環境試験装置において、貫通孔に栓体が嵌め込まれた状態を示す部分断面図である。
【図３】本発明の一実施形態に係る栓体を示す斜視図である。
【図４】図３のＩＶ方向から見た図である。
【発明を実施するための形態】
【００１８】
本発明の一実施形態に係る環境試験装置１は、図１（ａ），（ｂ）に示すように、内部３ａに被試験物が配置される試験槽３と、冷却器、加熱ヒータ、加湿装置、送風機等（図示略。以下、「冷却器等」という。）とを有する。環境試験装置１は、冷却器等を制御し、試験槽３の内部３ａの環境を変化させて、被試験物の環境試験を行うように構成されている。環境試験装置１は、例えば、電気電子、自動車、材料工学等の分野において、部品や材料の性能を検査するのに用いられる。
【００１９】
試験槽３は、断熱材料等で構成されており、正面に扉２が設けられている。扉２を開放して、被試験物を試験槽３の内部３ａに配置したり試験槽３の外部３ｂに取り出したりすることができる。
【００２０】
試験槽３の側壁４ａ，４ｂには、円柱状の貫通孔５ａ，５ｂが形成されている。各貫通孔５ａ，５ｂは、試験槽３の内部３ａと外部３ｂとを連通させるものである。各貫通孔５ａ，５ｂには、試験槽３の内部３ａから外部３ｂに延在する３本の配線６（図２参照）が通される。本実施形態において、配線６は、電源線からなる配線６ａと、信号線からなる配線６ｂ，６ｃとを含む。各配線６は、例えば、試験槽３の内部３ａに設置されたセンサーと、試験槽３の外部３ｂに設置された測定機器とを接続する。
【００２１】
各貫通孔５ａ，５ｂには、栓体１０が嵌め込まれている。栓体１０は、弾性部材（低発泡率のシリコンゴム、又は、ソリッド（無垢）のシリコンゴム）から構成されている。
【００２２】
栓体１０は、貫通孔５ａ，５ｂのサイズ及び形状に合わせて形成されている。また、栓体１０は、試験槽３の内部３ａ側が貫通孔５ａ，５ｂと同じ径であり、試験槽３の外部３ｂ側に向かうにつれて径が大きくなる、円錐台形である（図３参照）。これにより、試験槽３の気密性を高めることができる。
【００２３】
栓体１０には、３本の配線６がそれぞれ挿入可能な、３つの切り込み１３が形成されている。切り込み１３は、配線６ａが挿入される第１切り込み１３ａ、配線６ｂが挿入される第２切り込み１３ｂ、及び、配線６ｃが挿入される第３切り込み１３ｃを含む。
【００２４】
図４に示すように、試験槽３の内部３ａから外部３ｂに向かう方向と直交する断面において、第１切り込み１３ａは、栓体１０の中心線Ｏに沿って形成されている。第２切り込み１３ｂ及び第３切り込み１３ｃは、第１切り込み１３ａを挟んで対向しており、中心線Ｏに対して対称の位置関係にある。第１切り込み１３ａ（詳細には、栓体１０における第１切り込み１３ａを画定する壁の表面）には、アルミ箔等からなる導電性シート１５が設けられている。各切り込み１３ａ〜１３ｃは、配線６の挿入方向の下流側に向かうにつれて隣接する他の切り込みから離隔するように形成されている。
【００２５】
以上に述べたように、本実施形態によれば、栓体１０に形成された切り込み１３ａ〜１３ｃに配線６を挿入することで、複数の配線を分離して栓体に保持させることができる。また、各切り込み１３ａ〜１３ｃが、配線６の挿入方向の下流側に向かうにつれて隣接する他の切り込みから離隔するように形成されているため、各配線６は、切り込み１３ａ〜１３ｃに深く挿入されるにつれて、隣接する他の配線６から離隔することになる。これにより、各配線６が他の配線からの電気的なノイズの影響を受ける問題を抑制することができる。
【００２６】
切り込み１３ａ〜１３ｃのうち少なくとも１つの切り込み１３ａに、導電性シート１５が設けられている（図３及び図４参照）。
【００２７】
上記構成によれば、導電性シート１５が設けられた切り込み１３ａに挿入される配線６ａからの、及び、当該配線６ａへの、ノイズの伝搬を抑制することができる。
【００２８】
切り込み１３は、導電性シート１５が設けられた第１切り込み１３ａと、第１切り込み１３ａを挟んで対向する第２切り込み１３ｂ及び第３切り込み１３ｃとを含む。
【００２９】
上記構成によれば、第２切り込み１３ｂ及び第３切り込み１３ｃに挿入された配線６ｂ，６ｃ同士のノイズの伝搬を抑制することができる。
【００３０】
試験槽３の内部３ａから外部３ｂに向かう方向と直交する断面において、第１切り込み１３ａは、栓体１０の中心線Ｏに沿って形成されており、第２切り込み１３ｂ及び第３切り込み１３ｃは、中心線Ｏに対して対称の位置関係にある。
【００３１】
上記構成によれば、第１〜第３切り込み１３ａ〜１３ｃに配線６ａ〜６ｃをバランスよく保持させることができ、ひいては各配線６ａ〜６ｃにおけるノイズの問題をより確実に抑制することができる。
【００３２】
以上、本発明の好適な実施の形態について説明したが、本発明は上述の実施形態に限られるものではなく、特許請求の範囲に記載した限りにおいて様々な設計変更が可能なものである。
【００３３】
・試験槽に形成される貫通孔の数、位置、サイズ、形状等は、任意である。例えば、試験槽の天井、底壁、扉等に、１つの貫通孔が形成されてもよい。
・栓体に形成される切り込みの数は、複数である限りは、特に限定されず、２つ又は４つ以上であってもよい。
・栓体は、弾性部材から構成される限り、上述した材料からなることに限定されず、任意の材料からなってよい。
・各切り込みのサイズや形状は、各切り込みが配線の挿入方向の下流側に向かうにつれて隣接する他の切り込みから離隔するように形成される限りは、特に限定されない。例えば、各切り込みの形状は、試験槽の内部から外部に向かう方向と直交する断面において、円弧状であってもよいし、階段状（即ち、複数の屈曲部を有する形状）であってもよい。
・各切り込みに導電性シートを設けてもよいし、複数の切り込みのうちの一部の任意の切り込みのみに導電性シートを設けてもよい。また、いずれの切り込みにも導電性シートを設けなくてもよい。
・各切り込みに挿入される配線の種類は、特に限定されない。
・全ての切り込みに配線が挿入されることには限定されない。即ち、一部の切り込みに配線が挿入されていなくてもよい。
【符号の説明】
【００３４】
１  環境試験装置
３  試験槽
３ａ  内部
３ｂ  外部
５ａ，５ｂ  貫通孔
６  配線
１０  栓体
１３  切り込み
１３ａ  第１切り込み
１３ｂ  第２切り込み
１３ｃ  第３切り込み
１５  導電性シート
Ｏ  中心線
【図１】
2016223786.tif 000003
【図２】
2016223786.tif 000004
【図３】
2016223786.tif 000005
【図４】
2016223786.tif 000006